(57)【特許請求の範囲】
【請求項１】
空気極が配置される第１面と、燃料極が配置される第２面とを備えた、固体酸化物形燃料電池用電解質シートであって、
前記第１面は、前記空気極が配置される空気極配置部と、シール材が配置されるシール材配置部と、を含み、
前記第２面は、前記燃料極が配置される燃料極配置部と、シール材が配置されるシール材配置部と、を含み、
前記空気極配置部と前記燃料極配置部とは、前記電解質シートの厚さ方向から見た場合に、互いに重なり合う領域Ａを含み、
前記第１面の前記シール材配置部と前記第２面の前記シール材配置部とは、前記電解質シートの厚さ方向から見た場合に、互いに重なり合う領域Ｂを含み、
前記電解質シートの前記領域Ｂに相当する部分の平均厚さＴｂは、前記電解質シートの前記領域Ａに相当する部分の平均厚さＴａよりも小さい、
固体酸化物形燃料電池用電解質シート。
【請求項２】
前記平均厚さＴｂは、前記平均厚さＴａの６０〜９０％である、
請求項１に記載の電解質シート。
【請求項３】
前記第１面は、前記空気極配置部と前記シール材配置部との間に形成される段差を有しており、かつ、前記第２面は平面である、
請求項１又は２に記載の電解質シート。
【請求項４】
前記第２面は、前記燃料極配置部と前記シール材配置部との間に形成される段差を有しており、かつ、前記第１面は平面である、
請求項１又は２に記載の電解質シート。
【請求項５】
前記第１面は、前記空気極配置部と前記シール材配置部との間に形成される段差を有しており、かつ、前記第２面は、前記燃料極配置部と前記シール材配置部との間に形成される段差を有している、
請求項１又は２に記載の電解質シート。
【発明の詳細な説明】
【技術分野】
【０００１】
本発明は、固体酸化物形燃料電池（以下、ＳＯＦＣと記載する。）用電解質シートに関する。
【背景技術】
【０００２】
セラミックは、耐熱性および耐摩耗性などの機械的性質に加えて、電気的および磁気的特性にも優れたものであることから、多くの分野で活用されている。中でも、ジルコニアを主体とするセラミックシートは、それらの性質に加えて優れた酸素イオン伝導性と靭性とを有していることから、酸素センサーおよび湿度センサーのようなセンサー部品の固体電解質、更にはＳＯＦＣ用の固体電解質として活用されている。
【０００３】
ＳＯＦＣ用の電解質シートには、薄膜高強度化の他に、電気化学反応の有効面積を増大させて発電性能を高めるために、電解質シートとその両面に形成されている燃料極および空気極との接触面積を大きくすることが求められている。また、ＳＯＦＣ用の電解質シートは、安定した発電性能を得るために、燃料電池稼動中または昇降温中に当該電解質シートから燃料極および空気極が剥離することを防止することが求められている。そこで、本発明者は、電解質シートの表面粗さに着目して、広範囲な表面粗さを検討した。その結果、ある特定の表面粗さを有する電解質シートを用いたＳＯＦＣ用単セルがこれらの要求を満足することが、特許文献１〜３に開示されている。
【０００４】
ＳＯＦＣは、燃料と酸化剤の２種類のガスをそれぞれ電解質シートによって隔てられた燃料極と空気極に供給して、概ね６００℃〜９５０℃の高温下でそれぞれの電極で電気化学反応を進行させて、外部に電力を取り出す電池である。電解質シートを上記特定の表面粗さにした場合でも、その単セルの電圧は約１Ｖ程度と低い。そこで、実際の燃料電池として動作させる際には、実用上十分な発電量を得るために、単セルを積層して直列接続（スタック化）する必要がある。このとき、隣接する単セルを互いに電気的に接続すると同時に、マニホールドを介して燃料極と空気極とにそれぞれ燃料ガスと酸化剤ガスとを適正に分配する目的で、各単セル間に金属またはセラミックスからなるセパレータが配置される。セパレータは、インタコネクタとも呼ばれる。
【０００５】
単セルがスタック化されたＳＯＦＣでは、概ね６００℃〜９５０℃の高温下での運転時、および、ＳＯＦＣの起動／停止に伴って生じる常温と６００℃〜９５０℃との間の繰り返し昇降温による熱サイクル時において、燃料ガスおよび／または酸化剤ガスのリークを防止することが必要となる。
【０００６】
そこで、低融点ガラスをシール材とした融体封着方式、耐熱シール材を用いた冷却硬化固体封着方式、および、耐熱無機接着剤または耐熱無機コーティング剤を用いた加熱硬化固体封着方式が検討されている。例えば、融体封着方式では、被接着体との熱膨張率の整合性等に着目して、水ガラスにアルミナ、シリカ、マグネシアおよびジルコニアなどのセラミックス粒子を分散させた高温用接着剤、および、軟化させることによりシール性が確保されるガラス粉末などの、様々なシール材が提案されている（例えば、特許文献４参照）。また、シール性を高めるために、シール材の空気極側の面積を燃料極側の面積よりも大きくするシール構造も提案されている（例えば、特許文献５参照）。
【０００７】
しかしながら、シール材およびシール構造の改良だけで、ガスリークを完全に防止することは困難である。そのため、シール材が接着される被接着体（すなわち電解質シート）を、ガスリークを抑制できる構造を有するように設計することが必要となる。
【先行技術文献】
【特許文献】
【０００８】
【特許文献１】特開２０００−２８１４３８号公報
【特許文献２】国際公開第２００４／０３４４９２号パンフレット
【特許文献３】特開２００７−３２３８９９号公報
【特許文献４】特開２００７−１４９４３０号公報
【特許文献５】特開２００７−２８７５８５号公報
【発明の概要】
【発明が解決しようとする課題】
【０００９】
本発明は、スタック化された単セルの電解質シートとセパレータとの間からの、燃料ガスおよび／または酸化剤ガスのリークを効果的に抑制して、高い発電性能を維持できる、ＳＯＦＣ用電解質シートを提供することを課題とする。
【課題を解決するための手段】
【００１０】
本発明のＳＯＦＣ用電解質シートは、空気極が配置される第１面と、燃料極が配置される第２面とを備え、
前記第１面は、前記空気極が配置される空気極配置部と、シール材が配置されるシール材配置部と、を含み、
前記第２面は、前記燃料極が配置される燃料極配置部と、シール材が配置されるシール材配置部と、を含み、
前記空気極配置部と前記燃料極配置部とは、前記電解質シートの厚さ方向から見た場合に、互いに重なり合う領域Ａを含み、
前記第１面の前記シール材配置部と前記第２面の前記シール材配置部とは、前記電解質シートの厚さ方向から見た場合に、互いに重なり合う領域Ｂを含み、
前記電解質シートの前記領域Ｂに相当する部分の平均厚さＴｂは、前記電解質シートの前記領域Ａに相当する部分の平均厚さＴａよりも小さい。
【発明の効果】
【００１１】
本発明のＳＯＦＣ用電解質シートは、シール材が配置される部分と、電極が配置される部分とで、異なる厚さを有する。詳しくは、電解質シートをその厚さ方向から見た場合に、空気極配置部と燃料極配置部とが互いに重なり合う領域Ａと、第１面のシール材配置部と第２面のシール材配置部とが互いに重なり合う領域Ｂとの間で、異なる平均厚さが設定される。本発明の電解質シートでは、シール材が配置される部分の平均厚さＴｂが、電極が配置される部分の平均厚さＴａよりも小さく設定されている。このような構造を有する電解質シートは、その第１面に空気極およびその第２面に燃料極が配置されて単セルが形成され、当該単セルがスタック化されて電解質シートのシール材配置部にシール材が配置された場合に、当該単セルの電解質シートとセパレータとの間からのガスリークを効果的に抑制できる。その結果、本発明の電解質シートが用いられたＳＯＦＣは、高い発電性能を維持できる。
【図面の簡単な説明】
【００１２】
【図１】本発明の電解質シートの一例を示す断面図である。
【図２】（ａ）および（ｂ）は、それぞれ、本発明の電解質シートの別の例を示す断面図である。
【図３】単セルスタック発電試験装置の構成を示す断面の概念図である。
【発明を実施するための形態】
【００１３】
以下、本発明のＳＯＦＣ用電解質シートの実施の形態について、具体的に説明する。
【００１４】
図１は、本実施の形態のＳＯＦＣ用電解質シートの断面図を示す。本実施の形態の電解質シート１は、空気極が配置される第１面１１と、燃料極が配置される第２面１２とを備える。第１面１１は、空気極が配置される空気極配置部１３と、シール材が配置されるシール材配置部１４と、を含んでいる。第２面１２は、燃料極が配置される燃料極配置部１５と、シール材が配置されるシール材配置部１６と、を含んでいる。
【００１５】
空気極配置部１３と燃料極配置部１５とは、電解質シート１の厚さ方向から（すなわち、第１面１１側から、または、第２面１２側から）見た場合に、互いに重なり合う領域Ａを含む。第１面１１のシール材配置部１４と第２面１２のシール材配置部１６とは、電解質シート１の厚さ方向から見た場合に、互いに重なり合う領域Ｂを含む。本実施の形態では、第１面１１は空気極配置部１３とシール材配置部１４とから成り、第２面１２は燃料極１５とシール材配置部１６とから成る。また、本実施の形態では、空気極配置部１３と燃料極配置部１５とが実質的に同じ形状を有し、ほぼ全体で重なり合うように設定されている。また、シール材配置部１４とシール材配置部１６も、実質的に同じ形状を有し、ほぼ全体で重なり合うように設定されている。したがって、本実施の形態では、領域Ａは空気極配置領域１３および燃料極配置領域１５の全体とほぼ一致し、領域Ｂはシール材配置領域１４およびシール材配置領域１６のほぼ全体と一致する。しかし、本発明の電解質シートは、この構成に限定されない。第１面および第２面が、電極もシール材も配置されない部分を含んでいてもよい。空気極配置部および燃料極配置部は、互いに異なる形状を有していてもよく、電解質シートの厚さ方向から見た場合に互いに重なり合わない部分が存在していてもよい。第１面のシール材配置部および第２面のシール材配置部は、互いに異なる形状を有していてもよく、電解質シートの厚さ方向から見た場合に互いに重なり合わない部分が存在していてもよい。
【００１６】
電解質シート１は、領域Ｂに相当する部分の平均厚さＴｂが、領域Ａに相当する部分の平均厚さＴａよりも小さくなるように、形成されている。より高いシール性を実現するために、平均厚さＴｂは、平均厚さＴａの６０〜９０％であることが好ましい。なお、図１では、電解質シート１は、領域Ａと領域Ｂとの境界で段差が形成された形状を有している。しかし、本発明の電解質シートは、この形状に限定されない。本発明の電解質シートは、例えば、領域Ａと領域Ｂとの境界からシート周縁に向かうに従い、シート厚が連続的または非連続的に薄くなる形状を有していてもよい。しかし、領域Ｂはシール材が配置される箇所である。したがって、領域Ｂが連続的（または非連続的）に薄くなる形状を有する場合に、熱軟化性シール材（前述の融体封着方式で用いられる、熱で軟化させることによりシール性が確保されるシール材）が用いられると、高温条件下でシール材が領域Ｂから流れ落ちやすくなり、シール性が損なわれることがある。そのような理由から、本発明の電解質シートは、図１に示すように領域Ａと領域Ｂと境界で段差が形成される形状を有することが好ましい。このとき、平均厚さＴａと平均厚さＴｂとの差は、１０μｍ以上１３０μｍ以下が好ましい。平均厚さＴａと平均厚さＴｂとの差が１０μｍ未満の場合、十分なシール性が得られない場合がある。平均厚さＴａと平均厚さＴｂとの差が１３０μｍを超える場合、領域Ｂのハンドリング強度が低下すると共に、シール材が多量に必要になって却ってガスリークが発生しやすくなる場合がある。平均厚さＴａと平均厚さＴｂとの差は、２０μｍ以上１１０μｍ以下がより好ましく、２５μｍ以上１００μｍ以下がさらに好ましい。
【００１７】
本発明の電解質シートは、平均厚さＴｂが平均厚さＴａよりも小さければよい。そのため、電解質シートの形状は、図１に示されるような、第１面１１が空気極配置部１３とシール材配置部１４との間に形成される段差を有しており、かつ、第２面１２が燃料極配置部１５とシール材配置部１６との間に形成される段差を有しているという形状に限定されない。図２（ａ）に示されるように、第１面１１が空気極配置部１３とシール材配置部１４との間に形成される段差を有し、かつ、第２面１２が平面であってもよい。また、図２（ｂ）に示されるように、第２面１２が燃料極配置部１５とシール材配置部１６との間に形成される段差を有しており、かつ、第１面１１が平面であってもよい。ただし、これらの場合も、平均厚さＴｂは平均厚さＴａよりも小さく設定される必要がある。ここで、領域Ａおよび領域Ｂの平均厚さとは、各領域について、少なくとも４箇所以上の任意の箇所で厚さを測定し、得られた測定値を用いて平均値を算出することによって求められる値である。
【００１８】
電解質シート１では、ジルコニア系酸化物、ＬａＧａＯ3系酸化物およびセリア系酸化物よりなる群から選択される少なくとも１種以上を含有するセラミック焼結体が、好ましい材料として例示される。
【００１９】
好ましいジルコニア系酸化物としては、安定化剤としてＭｇＯ、ＣａＯ、ＳｒＯ、ＢａＯなどのアルカリ土類金属の酸化物、Ｓｃ2Ｏ3、Ｙ2Ｏ3、Ｌａ2Ｏ3、ＣｅＯ2、Ｐｒ2Ｏ3、Ｎｄ2Ｏ3、Ｓｍ2Ｏ3、Ｅｕ2Ｏ3、Ｇｄ2Ｏ3、Ｔｂ2Ｏ3、Ｄｙ2Ｏ3、Ｈｏ2Ｏ3、Ｅｒ2Ｏ3、Ｙｂ2Ｏ3などの希土類元素の酸化物、Ｂｉ2Ｏ3およびＩｎ2Ｏ3等から選ばれる１種もしくは２種以上の酸化物を固溶させたもの、あるいは、これらに分散強化剤としてＡｌ2Ｏ3、ＴｉＯ2、Ｔａ2Ｏ5、Ｎｂ2Ｏ5などが添加された分散強化型ジルコニア等が、例示される。特に好ましくは、スカンジウム、イットリウム、セリウムおよびイッテルビウムよりなる群から選択される少なくとも１種の元素の酸化物で安定化されたジルコニアである。
【００２０】
また、ＬａＧａＯ3系酸化物としては、ペロブスカイト型結晶構造を有する複合酸化物で、ＬａやＧａの一部がそれぞれの原子よりも低原子価のＳｒ、Ｙ、Ｍｇ等によって置換固溶した組成物が挙げられる。例えば、Ｌａ0.9Ｓｒ0.1Ｇａ0.8Ｍｇ0.2Ｏ3のようなＬａ1-xＳｒxＧａ1-yＭｇyＯ3、Ｌａ1-xＳｒxＧａ1-yＭｇyＣｏ2Ｏ3、Ｌａ1-xＳｒxＧａ1-yＦｅyＯ3、Ｌａ1-xＳｒxＧａ1-yＮｉyＯ3等が例示される。
【００２１】
また、好ましいセリア系酸化物としては、ＣａＯ、ＳｒＯ、ＢａＯ、Ｔｉ2Ｏ3、Ｙ2Ｏ3、Ｌａ2Ｏ3、Ｐｒ2Ｏ3、Ｎｄ2Ｏ3、Ｓｍ2Ｏ3、Ｅｕ2Ｏ3、Ｇｄ2Ｏ3、Ｔｂ2Ｏ3、Ｄｙ2Ｏ3、Ｅｒ2Ｏ3、Ｔｍ2Ｏ3、Ｙｂ2Ｏ3、ＰｂＯ、ＷＯ3、ＭｏＯ3、Ｖ2Ｏ5、Ｔａ2Ｏ5、Ｎｂ2Ｏ5の１種もしくは２種以上がドープされたセリア系酸化物が例示される。
【００２２】
これらの酸化物は、単独で使用し得る他、必要により２種以上を適宜組み合わせて使用しても構わない。上に例示したもの中でも、より優れた熱的特性、機械的特性、化学的特性および酸素イオン導電性特性を有する電解質シートを得るためには、３〜１０モル％の酸化イットリウムで安定化された、４〜１２モル％の酸化スカンジウムで安定化された、または４〜１５モル％の酸化イッテルビウムで安定化された、正方晶および／または立方晶構造の酸化ジルコニウムが特に好ましい。これらの中でも、８〜１０モル％の酸化イットリウムで安定化されたジルコニア（８ＹＳＺ〜１０ＹＳＺ）、１０モル％の酸化スカンジウムと１〜２モル％のセリアで安定化されたジルコニア（１０Ｓｃ１ＣｅＳＺ〜１０Ｓｃ２ＣｅＳＺ）、１０モル％の酸化スカンジウムと１モル％のアルミナで安定化されたジルコニア（１０Ｓｃ１ＡｌＳＺ）が最適である。なお、以下、例えば、４モル％のスカンジアで安定化されたジルコニア（「４モル％のスカンジアを安定化剤として含むジルコニア」という意味。以下、同様の表現を同様の意味で用いる。）を４ＳｃＳＺのように表記する場合がある。
【００２３】
本発明の電解質シートの形態は、特に制限されず、平板状、湾曲状、膜状、円筒状、円筒平板状およびハニカム状が例示される。本発明の電解質シートの厚さは１０μｍ以上４００μｍ以下が好ましい。本発明の電解質シートが電解質支持型セル（ＥＳＣ）に適用される場合、電解質シートの厚さは、１００μｍ以上４００μｍ以下が好ましく、１２０μｍ以上３００μｍ以下がより好ましい。本発明の電解質シートが燃料極支持型セル（ＡＳＣ）に適用される場合、電解質シートの厚さは、１０μｍ以上５０μｍ以下が好ましく、１２μｍ以上４５μｍ以下がより好ましい。
【００２４】
本発明の電解質シートには、５０ｃｍ2以上９００ｃｍ2以下、より好ましくは８０ｃｍ2以上５００ｃｍ2以下の平面面積を有する緻密質焼結体からなる電解質シートが、好適に用いられる。なお、ここでいう平面面積とは、電解質シートの第１面（または第２面）全体の面積のことである。すなわち、空気極配置部と、シール材配置部と、第１面が空気極配置部およびシール材配置部以外の部分を含む場合はその部分との面積の合計、または、燃料極配置部と、シール材配置部と、第２面が燃料極配置部およびシール材配置部以外の部分を含む場合はその部分との面積の合計である。
【００２５】
上記電解質シートの場合、シートの形状としては、円形、楕円形およびアールを持った角形など何れでもよい。これらのシート内に、同様の円形、楕円形、Ｒを持った角形などの穴を１つもしくは２つ以上有するものであってもよい。なお、上記平面面積とは、シートが穴を有する場合は、当該穴の面積を含んだシート表面の面積（シート外形によって決定される面積）を意味する。
【００２６】
本発明の電解質シートの製造には、一般的なＳＯＦＣ用電解質シートの製造方法を利用できる。すなわち、電解質シート用のグリーンシートを準備し、このグリーンシートを焼成することによって、本発明の電解質シートを得ることができる。ただし、電解質シートの各領域の厚さが上記に説明した関係を満たすように、予め各領域の厚さを考慮して電解質シート用の長尺のグリーンテープを準備する必要がある。
【００２７】
まず、準備される長尺のグリーンテープについて説明する。グリーンテープは、例えば、ジルコニア系原料粉末に、バインダー及び溶剤を添加し、さらに必要に応じて分散剤、可塑剤、潤滑剤及び消泡剤等を添加してスラリーを調製し、このスラリーをテープ状に成形して乾燥させることによって得ることができる。ジルコニア系原料粉末としては、ＭｇＯ、ＣａＯ、ＳｒＯ及びＢａＯ等のアルカリ土類金属酸化物；Ｓｃ2Ｏ3、Ｙ2Ｏ3、Ｌａ2Ｏ3、ＣｅＯ2、Ｐｒ2Ｏ3、Ｎｄ2Ｏ3、Ｓｍ2Ｏ3、Ｅｕ2Ｏ3、Ｇｄ2Ｏ3、Ｔｂ2Ｏ3、Ｄｙ2Ｏ3、Ｈｏ2Ｏ3、Ｅｒ2Ｏ3及びＹｂ2Ｏ3等の希土類元素酸化物；及び、Ｂｉ2Ｏ3及びＩｎ2Ｏ3等の酸化物、から選択される１種もしくは２種以上を、安定化剤として含有するジルコニアの粉末を例示できる。さらに、その他の添加剤として、ＳｉＯ2、Ｇｅ2Ｏ3、Ｂ2Ｏ3、ＳｎＯ2、Ｔａ2Ｏ5及びＮｂ2Ｏ5から選択される何れかの酸化物が含まれていてもよい。これらの中でも、より高レベルの酸素イオン伝導性、強度及び靭性を確保する上で好ましいのは、スカンジア、イットリア、セリア及びイッテルビアからなる群から選択される少なくとも何れか１種を安定化剤として含む、安定化ジルコニアである。安定化ジルコニア全体における安定化剤の含有量は、スカンジアで４〜１２モル％、イットリアで３〜１０モル％、セリアで０．５〜２モル％、イッテルビアで４〜１５モル％である。結晶系は正方晶系であってもよいし立方晶系であってもよいが、スカンジアを含むジルコニアの場合、スカンジアの含有量が多くなると結晶系が菱面体晶に転移することがあるので、結晶系を立方晶系に安定化するために、第三成分としてセリアやアルミナ等を加えてもよい。
【００２８】
グリーンテープの作製に用いられるバインダーの種類には制限がなく、従来の電解質シートの製造方法で公知となっている有機バインダーの中から適宜選択できる。有機バインダーとしては、エチレン系共重合体、スチレン系共重合体、アクリレート系及びメタクリレート系共重合体、酢酸ビニル系共重合体、マレイン酸系共重合体、ビニルアセタール系樹脂、ビニルホルマール樹脂、ポリビニルブチラール樹脂、ビニルアルコール系樹脂、エチルセルロース等のセルロース類及びワックス類等が例示される。これらの中でもグリーンシートの成形性や強度、特に量産のために大量焼成するときの熱分解性などの点から、メチルアクリレート、エチルアクリレート、プロピルアクリレート、ブチルアクリレート、イソブチルアクリレート、シクロヘキシルアクリレート、２−エチルヘキシルアクリレート等の炭素数１０以下のアルキル基を有するアルキルアクリレート類；メチルメタクリレート、エチルメタクリレート、プロピルメタクリレート、ブチルメタクリレート、イソブチルメタクリレート、シクロヘキシルメタクリレート、２−エチルヘキシルメタクリレート、ドデシルメタクリレート、ラウリルメタクリレート等の炭素数２０以下のアルキル基を有するアルキルメタクリレート類；ヒドロキシエチルアクリレート、ヒドロキシプロピルアクリレート、ヒドロキシエチルメタクリレート、ヒドロキシプロピルメタクリレート等のヒドロキシアルキル基を有するヒドロキシアルキルアクリレート又はヒドロキシアルキルメタクリレート類；ジメチルアミノエチルアクリレート、ジメチルアミノエチルメタクリレート等のアミノアルキルアクリレート又はアミノアルキルメタクリレート類；（メタ）アクリル酸、マレイン酸、モノイソプロピルマレート等のマレイン酸半エステル等のカルボキシル基含有モノマー、等の中から少なくとも１種を重合又は共重合させることによって得られるポリマーが好ましく使用される。
【００２９】
グリーンテープの作製に用いられる溶剤の種類には制限がなく、従来の電解質シートの製造方法で公知となっている溶剤の中から適宜選択できる。例えば、炭素数が２〜４のエタノール、イソプロパノール、ｎ−ブタノール等のアルキルアルコール；１−ヘキサノール等のアルコール類；アセトン、２−ブタノン等のケトン類；ペンタン、ヘキサン、ヘプタン等の脂肪族炭化水素類；ベンゼン、トルエン、キシレン、エチルベンゼン等の芳香族炭化水素類；酢酸メチル、酢酸エチル、酢酸ブチル等の酢酸エステル類、等の中から適宜選択した溶剤を使用できる。これらの溶剤は、単独で使用してもよいし、２種以上を適宜混合して使用してもよい。
【００３０】
必要に応じて用いられる分散剤、可塑剤、潤滑剤及び消泡剤には、従来の製造方法で電解質シートを製造する際に用いられる公知の分散剤、可塑剤、潤滑剤及び消泡剤を、それぞれ用いることができる。
【００３１】
ジルコニア系原料粉末、バインダー及び溶剤等を混合して作製されたスラリーを、通常の方法、例えばドクターブレード法、押出成形法又はカレンダーロール法等によりシート状に成形し、乾燥させて長尺のグリーンテープを得、当該グリーンテープを所定の形状に切断することによって、ジルコニア系グリーンシートを作製できる。グリーンシートの大きさ及び厚さは、目的とする電解質シートの大きさ及び厚さと、焼成による収縮率とから求められる。
【００３２】
電解質シート用のグリーンシートの各領域において厚さを制御する方法として、例えば、次のような方法が考えられる。まず、異なる厚さを有するグリーンシートを複数種類準備する。次に、それらのグリーンシートを適宜組み合わせて重ね合わせて、一つの積層体内で異なる厚さを有する積層体を作製する。次に、得られた積層体を加圧処理して、電解質シート用のグリーンシートとする。他の方法として、１枚のグリーンシートを準備し、当該１枚のグリーンシートを、領域Ｂとする部分のプレス圧が領域Ａとする部分のプレス圧よりも大きくなるように加圧処理する方法、あるいは、当該１枚のグリーンシートの領域Ｂとなる部分を、領域Ａとの差が所定の差となるように削除する方法なども利用できる。
【００３３】
上記のように準備された所定形状の電解質シート用のグリーンシートを焼成することにより、本発明の電解質シートが得られる。具体的な焼成の条件は特に制限されず、常法によればよい。例えば、電解質シートのグリーンシートからバインダーおよび可塑剤等の有機成分を除去するために、１５０〜６００℃、好ましくは２５０〜５００℃で５〜８０時間程度処理する。次いで、１０００〜１６００℃、好ましくは１２００〜１５００℃で２〜１０時間保持焼成する。
【００３４】
本発明の電解質シートは、その第１面に空気極およびその第２面に燃料極が配置されて単セルが形成され、当該単セルがスタック化されて電解質シートのシール材配置部にシール材が配置された場合に、単セルの電解質シートとセパレータとの間からのガスリークを効果的に抑制できる。その結果、本実施の形態の電解質シートが用いられたＳＯＦＣは、高い発電性能を維持できる。
【実施例】
【００３５】
次に、本発明について、実施例を用いて具体的に説明する。なお、本発明は、以下に示す実施例によって何ら限定されるものではない。
【００３６】
（実施例１）
＜酸化イットリウム安定化ジルコニアグリーンシートの製造＞
８モル％酸化イットリウム安定化ジルコニア粉末（第一稀元素化学工業株式会社製、商品名「ＨＳＹ−８」、平均粒子径：０．４μｍ、比表面積：８．５ｍ2／ｇ）１００質量部、溶媒であるトルエン／イソプロパノール混合液（トルエン／イソプロパノール質量比＝３／２）５０質量部、および分散剤であるソルビタン脂肪酸エステル系界面活性剤２質量部からなる混合物を、ボールミルを用いて粉砕しつつ混合した。当該混合物へ、バインダーとしてメタクリレート系共重合体（数平均分子量：１００，０００、ガラス転位温度：−８℃、固形分濃度：５０質量％）を固形分換算で１８質量部と、可塑剤としてジブチルフタレート３質量部を添加し、さらにボールミルにより混合してスラリーとした。得られたスラリーを、碇型の攪拌機を備えたジャケット付丸底円筒型減圧脱泡容器へ移し、攪拌機を３０ｒｐｍの速度で回転させながら、ジャケット温度４０℃として減圧下（約４〜２１ｋＰａ）で濃縮脱泡し、２５℃での粘度を４Ｐａ・ｓに調整し、塗工用スラリーとした。この塗工用スラリーを塗工装置のスラリーダムに移し、ダイコーター法およびドクターブレード法によりポリエチレンテレフタレートフィルム上に所定の厚さに塗工し、塗工部に続く乾燥機（５０℃、８０℃、１１０℃の３ゾーンを有する乾燥機）中を０．２ｍ／分の速度で通過させて乾燥させた。これにより、幅約１５０ｍｍで、厚さが約２５μｍと約２６０μｍの長尺グリーンテープをそれぞれ得た。
厚さが約２５μｍのグリーンテープについては、１２５ｍｍ角および１１７ｍｍ角になるようにトムソン刃が配置された打ち抜き型を用いて切断して、１１７ｍｍ角のグリーンシートと、外形が１２５ｍｍ角で内形が１１７ｍｍ角である、幅４ｍｍのロの字型グリーンシートとを得た。また、厚さが約２６０μｍのグリーンテープについては、１２５ｍｍ角になるようにトムソン刃が配置された打ち抜き型を用いて切断して、１２５ｍｍ角のグリーンシートを得た。
【００３７】
＜グリーンシートの積層および焼成＞
次いで、１２５ｍｍ角で厚さが約２６０μｍのグリーンシートの上下に、１１７ｍｍ角で厚さが約２５μｍのグリーンシートを、それぞれの中心が略一致し、かつ、約２６０ｍｍ厚グリーンシートの周縁から４ｍｍ幅の領域が約２５μｍ厚グリーンシートと重ならないように載置した。その後、圧縮成形機（神藤金属工業所製、型式「Ｓ−３７．５」）により加圧処理を行い、２０組のグリーンシート３層積層体を作製した。なお、加圧処理は、加圧温度５５℃、プレス圧２７３Ｎ、加圧保持時間６０秒の条件で行われた。
上記のロの字型グリーンシートの一方の面に、融着防止用としてアクリル樹脂製の球状微粒子（日本触媒社製、粒子径：２μｍ、製品名「エポスター（登録商標）ＭＡ」）を均一に散布した。
３２０ｍｍ角のアルミナ棚板上に、１４０ｍｍ角のアルミナスペーサ（気孔率が６０％）を４枚載置した。それぞれのスペーサ上に、上記球状微粒子が散布されたロの字型グリーンシートを、周縁部タレ防止の目的で載せた。このロの字型グリーンシートの内部に、上記グリーンシート３層積層体の下部に位置する２５μｍ厚グリーンシートをはめ込んだ。さらに、グリーンシート３層積層体の上部に位置する約２５μｍ厚グリーンシートの上に、上記アルミナスペーサを載置した。
上記のようにグリーンシート３層積層体がセットされたアルミナ棚板を５枚準備した。すなわち、アルミナ棚板上に載置された、合計２０組のグリーンシート３層積層体が準備された。これらを、バッチ式焼成炉で、大気雰囲気下、１４２０℃で３時間焼成した。その結果、２０枚の８モル％酸化イットリウム安定化ジルコニアシートが得られた。
【００３８】
＜ジルコニアシートの厚さの測定＞
上記の方法で得られた２０枚のジルコニアシートについて、周縁部の任意の４ケ所の厚さと、中央部の任意の４箇所の厚さとを、Ｕ字形マイクロメータ（株式会社ミツトヨ製）で測定し、その平均値を算出した。なお、周縁部はガス漏れを抑制するためのシール材が配置されるシール材配置部であり、中央部は空気極が配置される第１面（空気極配置部）と燃料極が配置される第２面（燃料極配置部）となる。結果を表１に示す。
【００３９】
（実施例２〜６）
実施例１の厚さ約２５μｍのグリーンシートと同様にして、厚さ約１７μｍ、約３８μｍ、約４８μｍおよび約６３μｍで、１１７ｍｍ角のグリーンシートと、外形が１２５ｍｍ角で内形が１１７ｍｍ角である幅４ｍｍのロの字型グリーンシートとを、それぞれ準備した。また、実施例１の厚さ約２６０μｍのグリーンシートと同様にして、１２５ｍｍ角のグリーンシートを、厚さ約２００μｍ、約２２０μｍ、約２４０μｍおよび約２８０μｍでそれぞれ作製した。
【００４０】
厚さ約１７μｍグリーンシート２枚と厚さ約２８０μｍグリーンシート（実施例２）、厚さ約３８μｍグリーンシート２枚と厚さ約２４０μｍグリーンシート（実施例３）、厚さ約４８μｍグリーンシート２枚と厚さ約２２０μｍグリーンシート（実施例４）、厚さ約６３μｍグリーンシート２枚と厚さ約２００μｍグリーンシート（実施例５）、および、厚さ約１７μｍグリーンシートと厚さ約４８μｍグリーンシートと厚さ約２６０μｍグリーンシート（実施例６）の組合せで、それぞれ、実施例１と同様の方法でグリーンシート３層積層体を作製した。これらグリーンシート３層積層体を、実施例１と同様の方法で焼成して、２０枚の８モル％酸化イットリウム安定化ジルコニアシートを得た。
【００４１】
各実施例の２０枚のジルコニアシートについて、実施例１と同様の方法で周縁部と中央部との厚さを測定し、その平均値を算出した。結果を表１に示す。
【００４２】
（実施例７および８）
実施例１の厚さ約２５μｍのグリーンシートと同様にして、厚さ約１３μｍおよび約７９μｍで、１１７ｍｍ角のグリーンシートと、外形が１２５ｍｍ角で内形が１１７ｍｍ角である幅４ｍｍのロの字型グリーンシートとを、それぞれ準備した。また、実施例１の厚さ約２６０μｍのグリーンシートと同様にして、１２５ｍｍ角のグリーンシートを、厚さ約３００μｍおよび約１７０μｍでそれぞれ作製した。
【００４３】
厚さ約１３μｍグリーンシート２枚と厚さ約３００μｍグリーンシート（実施例７）、および、厚さ約７９μｍグリーンシート２枚と厚さ約１７０μｍグリーンシート（実施例８）の組合せで、それぞれ、実施例１と同様の方法でグリーンシート３層積層体を作製した。これらグリーンシート３層積層体を、実施例１と同様の方法で焼成して、２０枚の８モル％酸化イットリウム安定化ジルコニアシートを得た。
【００４４】
各実施例の２０枚のジルコニアシートについて、実施例１と同様の方法で周縁部と中央部との厚さを測定し、その平均値を算出した。結果を表１に示す。
【００４５】
（比較例１）
実施例１の厚さ約２６０μｍのグリーンシートと同様にして、１２５ｍｍ角のグリーンシートを厚さ約３２０μｍで作製した。このグリーンシートを、他のグリーンシートと積層せずに、実施例１と同様の方法で焼成して、２０枚の８モル％酸化イットリウム安定化ジルコニアシートを得た。得られたジルコニアシートは、全体の厚さがほぼ一定のシートであった。そのため、中央部の任意の４箇所の厚さのみを実施例１と同様の方法で測定し、その平均値を算出した。結果を表１に示す。
【００４６】
実施例１〜８および比較例１のジルコニアシートについて、ガスリーク試験およびセル発電性能試験を行った。これらの試験の方法は、以下のとおりである。
【００４７】
（ガスリーク試験）
実施例１〜８および比較例１で得た各ジルコニアシートと、シール材および金属セパレータとを配置して電気炉中に入れて９５０℃に加熱して、図３の単セルスタック発電試験装置のように、ジルコニアシート１の周縁部領域と、燃料極側金属セパレータ６および空気極側金属セパレータ１０とを接合し、各ＳＯＦＣ単セルスタックを作製した。
用いたシール材は、シリカ−アルミナ−酸化カリウム系ガラスのシート成形体であった。このシート成形体は、組成ＳｉＯ2（５０質量％）−Ａｌ2Ｏ3（１８質量％）−Ｋ2Ｏ（１２質量％）−ＺｎＯ（１２質量％）−Ｎａ2Ｏ（８質量％）からなる平均粒径２０μｍのガラス粉体をＰＶＡ水溶液に混合して得たスラリーを用い、ドクターブレード法によりシート状に成形したものである。本ガラスの熱膨張係数は１０．３×１０-6／Ｋ、軟化点は８８５℃であった。
電気炉中の上記各ＳＯＦＣ単セルスタックの燃料ガス導入管７ａと燃料ガス排出管７ｂとを燃料ガス流通系に、空気導入管８ａと空気排出管８ｂとを空気流通系に接続して、温度を２００℃／ｈｒの速度で上げた。所定の温度に達した時点から燃料ガス流通系と空気流通系の両方に空気を導入しながら１時間保持した後、２００℃／ｈｒの速度で降温し、２００℃より低い温度へは１２時間かけて炉冷した。この単位を１熱サイクルとし、繰返し実施した。導入空気流量はそれぞれ２ＮＬＭ（Ｎｏｒｍａｌ  Ｌｉｔｅｒ  ｐｅｒ  Ｍｉｎｕｔｅ）であり、１熱サイクル後および１０熱サイクル後の燃料極側排出空気流量と空気極側排出空気流量とを測定し、ガスリーク率を算出した。結果を表１に示す。
【００４８】
実施例１〜６のジルコニアシートの１０熱サイクル後のガスリーク率はほとんど０％で、ガスリーク性に優れたものであった。一方、周縁部と中央部の厚さが同じである比較例１のジルコニアシートは、ガスリーク率は非常に大きかった。なお、実施例７および８のジルコニアシートでも１０熱サイクル後のガスリーク率が発生したが、そのガスリーク率は比較例１のガスリーク率よりも低かった。これらの結果から、周縁部（シール材配置部）の厚さが中央部（電極配置部）の厚さよりも薄い電解質シートは、厚さが一定の電解質シートと比較して、高いガスシール性を示すことがわかった。特に、周縁部の平均厚さ（Ｔｂ）が中央部の平均厚さ（Ｔａ）の６０〜９０％の範囲内である実施例１〜６のジルコニアシートは、周縁部の平均厚さ（Ｔｂ）がこの範囲外である実施例７および８のジルコニアシートと比較すると、より高いガスシール性が得られた。
【００４９】
（セル発電性能試験）
実施例１および７で得られたジルコニアシートと、比較例１で得られたジルコニアシートとについて、セル発電性能試験を行った。
各ジルコニアシートの両面に、それぞれ燃料極と空気極とを形成して、ＳＯＦＣ用セルを作製した。詳しくは、ジルコニアシート片面の中央部（周縁部の厚さが薄くなっている箇所を除く領域）に、塩基性炭酸ニッケルを熱分解して得た酸化ニッケル粉末（ｄ50（メジアン径）：０．９μｍ）７０質量部、セリア粒子１５質量部（市販の２０モル％ガドリニウムドープセリア粉末）およびジルコニア粒子（市販の８モル％酸化イットリウム安定化ジルコニア粉末）１５質量部からなる燃料極ペーストを、スクリーン印刷により塗布した。電解質シートのその反対面も同様に、その中央部領域に、２０モル％サマリウムドープセリアからなる中間層ペーストを、スクリーン印刷により塗布した。これを１３００℃で焼き付けて、電解質シートに燃料極と中間層とを形成した。
次いで、中間層の上に、市販のストロンチウムドープドランタン鉄コバルテート（Ｌａ0.6Ｓｒ0.4Ｆｅ0.8Ｃｏ0.2Ｏ3）粉末８０質量部と、市販の２０モル％ガドリニウムドープセリア粉末２０質量部とからなる空気極ペーストを、スクリーン印刷によって塗布した。これを１０００℃で焼き付けて、４層構造のセルとした。
上記４層構造のセルを使用し、図３に示す単セルスタック発電試験装置を用いて７５０℃で連続発電試験を行い、Ｉ−Ｖカーブを測定した。なお、燃料ガスとしては３％加湿水素、酸化剤としては空気を使用した。また、電流測定装置には、アドバンテスト社製の商品名「Ｒ８２４０」を用いた。電流電圧発生装置には、同じくアドバンテスト社製の商品名「Ｒ６２４０」を用いた。発電試験開始時と２００時間後の最大出力密度（Ｗ／ｃｍ2）とを求め、その低下率を算出した。結果を表１に示す。なお、図３において、１は電解質シート、２は燃料極、３は空気極、４は単セル、５は燃料ガスシール部、６は燃料極側金属セパレータ、７ａは燃料ガス導入管、７ｂは燃料ガス排出管、８ａは空気導入管、８ｂ空気排出管、９は空気シール部、および、１０は空気極側金属セパレータを、それぞれ示す。
【００５０】
実施例１のジルコニアシートを用いたセルの２００時間経過後の最大出力密度低下率は１％以下であった。周縁部のシート厚さが中央部のシート厚さの９０％を超える実施例７のジルコニアシートを用いたセルでは、最大出力密度低下率が１．８％であった。実施例７のジルコニアシートは、実施例１のジルコニアシートよりはガスシール性が劣っていたが、最大出力密度低下率を２％未満に抑えることができた。これに対し、周縁部と中央部とのシート厚さが同じ比較例１のジルコニアシートを用いたセルは、最大出力密度低下率が４．７％と大きかった。これらの結果から、比較例１のジルコニアシートは、実施例１および７のジルコニアシートよりもガスシール性が劣るため、高い発電特性を維持することが困難であることが確認された。
【００５１】
【表１】
0005554740.tif 000002
【産業上の利用可能性】
【００５２】
本発明のＳＯＦＣ用電解質シートは、発電性能の改良と高い発電性能を維持できるＳＯＦＣに寄与できるものである。
【符号の説明】
【００５３】
１    ＳＯＦＣ用電解質シート
２    燃料極
３    空気極
４    単セル
５    燃料ガスシール部
６    燃料極側金属セパレータ
７ａ    燃料ガス導入管
７ｂ    燃料ガス排出管
８ａ    空気導入管
８ｂ    空気排出管
９    空気シール部
１０    空気極側金属セパレータ
１１    第１面
１２    第２面
１３    空気極配置部
１４    シール材配置部
１５    燃料極配置部
１６    シール材配置部
【図１】
0005554740.tif 000003
【図２】
0005554740.tif 000004
【図３】
0005554740.tif 000005